(57)【要約】  本発明は、制御システム（ＣＳ）、光学ハブ（ＨＵＢ）、及び複数の光ネットワーク終端装置（ＮＴ）を備え、ハブが帯域内管理チャンネルを介して全てのネットワーク終端装置と通信するような光通信ネットワークを、１つのネットワーク終端装置がネットワーク終端装置からハブへの通信を妨害し、ハブからネットワーク終端装置への通信は有効である場合に診断する方法であって、制御システムが１つのネットワーク終端装置に対して遮断コマンドを送る段階と、妨害がなくなったかどうかをチェックする段階と、妨害がなくなっていない場合に、パルスモードアクティブ化コマンドをこのネットワーク終端装置に送る段階と、妨害信号（ＤＳ）とパルスモード信号（ＰＭ）の重ね合わせ信号（ＳＩＳ）が存在するかどうかをチェックする段階と、パルス信号の重ね合わせがされていない場合にネットワーク終端装置を不良であるとしてマーキングする段階とを含む方法に関する。【選択図】図１
2011501593.tif 000002
【特許請求の範囲】
【請求項１】
制御システム（ＣＳ）、光学ハブ（ＨＵＢ）、及び複数の光ネットワーク終端装置（ＮＴ）を備え、該ハブが帯域内管理チャンネルを介して全ての該ネットワーク終端装置と通信するような光通信ネットワークについて、１つのネットワーク終端装置（ＮＴ）が該ネットワーク終端装置から該ハブへの通信を妨害し、該ハブから該ネットワーク終端装置への通信は有効である場合に該光通信ネットワークを診断する方法であって、
該制御システムが
−１つのネットワーク終端装置（ＮＴ）に対して遮断コマンドを送る段階と、
−前記妨害がなくなったかどうかをチェックする段階と、
を含み、
さらに、前記妨害がなくなっていない場合に、
該制御システムが
−パルスモードアクティブ化コマンドを、このネットワーク終端装置に送る段階と、
−妨害信号（ＤＳ）とパルスモード信号（ＰＭ）の重ね合わせ信号（ＳＩＳ）が存在するかどうかをチェックする段階と、
−前記パルス信号の重ね合わせがされていない場合に、前記ネットワーク終端装置（ＮＴ）を不良であるとしてマーキングする段階と
を含むことを特徴とする方法。
【請求項２】
前記パルスモード信号（ＰＭ）は低周波数信号であることを特徴とする、請求項１に記載の方法。
【請求項３】
前記パルスモード信号（ＰＭ）は１Ｈｚから２Ｈｚまでの周波数を有することを特徴とする、請求項２に記載の方法。
【請求項４】
前記重ね合わせ信号（ＳＩＳ）は、光受信器により自動利得制御を用いて受信され、利得制御信号を用いて前記パルスモード信号の部分が検出されることを特徴とする、請求項２に記載の方法。
【請求項５】
前記マーキングされたネットワーク終端装置（ＮＴ）が、連絡不能なネットワーク終端装置のリスト中のエントリと比較されることを特徴とする、請求項１に記載の方法。
【請求項６】
前記光通信ネットワークがパッシブスプリッタ（ＳＰ）を備えることを特徴とする、請求項１に記載の方法。
【請求項７】
前記光通信ネットワークの構造が前記制御システム（ＣＳ）内にマッピングされることを特徴とする、請求項１に記載の方法。
【請求項８】
前記ハブ（ＨＵＢ）から不良である前記ネットワーク終端装置（ＮＴ）へのパスが前記制御システム（ＣＳ）において表示されることを特徴とする、請求項７に記載の方法。
【請求項９】
前記不良であるネットワーク終端装置へのパスが最後のスプリッタ（ＳＰ）において切断されることを特徴とする、請求項８に記載の方法。
【請求項１０】
前記不良であるネットワーク終端装置（ＮＴ）がロック又は交換されることを特徴とする、請求項８に記載の方法。
【発明の詳細な説明】
【技術分野】
【０００１】
本発明は、制御システム、光学ハブ、及び複数の光ネットワーク終端装置を含み、帯域内管理チャンネルを介してハブが全てのネットワーク終端装置と通信するような光通信ネットワークを診断する方法に関する。
【背景技術】
【０００２】
光通信ネットワーク内では、全てのネットワーク終端装置が光学ハブに接続され、ハブからネットワーク終端装置への接続は、１以上のパッシブ光学スプリッタを介してルーティングされる。光信号の異なる波長により、送信方向が分離される。
【０００３】
このトポロジーにより、ハブからの全ての情報はネットワーク終端装置に対して常に同時に送られる。反対方向、すなわちネットワーク終端装置からハブに対しての情報は、割り当てられたタイムスロット内で送信される。ネットワークの管理情報は、帯域内管理チャンネルを介して転送される。
【０００４】
障害状態においては、又は操作によっては、光ネットワーク終端装置が連続信号又は妨害信号を送信し、割り当てられた全てのタイムスロットが妨害されて、この光ネットワーク内のどのネットワーク終端装置によってもハブへと情報を送信することができなくなる可能性がある。
【０００５】
全てのネットワーク終端装置が１つの光学ハブに接続されるとき、妨害を生じさせている、ある帯域のネットワーク終端装置を自動的に認識して局部化することは不可能である。
【０００６】
異なる光波長により送信方向が分けられるため、ハブはネットワーク終端装置と連絡することが可能であるのだが、しかしながらネットワーク終端装置からハブへの方向において全てのタイムスロットが妨害されると、その妨害をしているもの、又は機能しているネットワーク終端装置を識別するための何らの情報も送信することができない。
【０００７】
これまで、光通信ネットワークにおいて妨害をしているネットワーク終端装置の局部化は、スプリッタから特定のネットワーク終端装置への２点間（ｐｏｉｎｔ  ｔｏ  ｐｏｉｎｔ）接続の段階的切断によって可能なのみであった。
【０００８】
したがって、技術者はスプリッタからネットワーク終端装置への各々の光接続を順々別々に切断しなければならないのであり、またハブからネットワーク終端装置へのパスにおいては２以上のスプリッタが存在するかもしれない。
【０００９】
各々の切断に伴って、妨害された信号が依然として存在するか否かを制御システムでチェックしなければならない。
【００１０】
スプリッタが制御システムの近くにない場合、この方法はさらに煩わしいものとなる。したがって、ロケーション間での別の通信形式が必要とされる。多くはフロア上のキャビネット内、又は地中のキャビネット／クロージャ内に設置されているため、スプリッタへのアクセスはしばしば困難である。
【００１１】
スプリッタは、最大１２８の接続を扱うようデザインされている。したがって、そのような多数のネットワーク終端装置がスプリッタには接続されうるのであって、テストには非常に時間が掛かる。テスト全体の処理の間、妨害された光通信ネットワークの全加入者は如何なるサービスも受けることができない。
【００１２】
特開２００６−１７４２７０号（特許文献１）においては、妨害がもはや存在しなくなるまでネットワーク終端装置に対して遮断コマンドを順々に送ることによって、障害が局部化されている。しかしながら、故障しているネットワーク終端装置によって遮断コマンドがそれ以上実行されない場合、再び技術者は各々の光接続をスプリッタから順々別個に切断しなければならない。
【先行技術文献】
【特許文献】
【００１３】
【特許文献１】特開２００６−１７４２７０号
【発明の概要】
【発明が解決しようとする課題】
【００１４】
本発明の目標は、手作業で光接続を切断することなしに、そしてハブ又は制御システムからのコマンドに対して不良なネットワーク終端装置がそれ以上応答しない場合であっても、ハブとネットワーク終端装置の間の通信を妨害するその不良なネットワーク終端装置を光通信ネットワーク内で見つけ出すための方法を提案することである。
【課題を解決するための手段】
【００１５】
この目標は、請求項１に係る特徴により達成される。本発明の態様は、引用形式請求項において示される。
【図面の簡単な説明】
【００１６】
【図１】本発明の実施形態を説明するための図である。
【図２】本発明の実施形態を説明するための図である。
【図３】本発明の実施形態を説明するための図である。
【発明を実施するための形態】
【００１７】
ツリー構成の光ネットワークが図１に示されている。そのネットワークには、ネットワークハブＨＵＢ、多数のネットワーク終端装置ＮＴ、及び、光回線を介してネットワーク終端装置ＮＴをハブＨＵＢに接続する光学スプリッタＳＰが含まれる。光ネットワークは、その構造がマッピングされるような制御システムＣＳにより制御及び維持される。制御システムＣＳはハブＨＵＢの一部であってよいし、あるいは分離されて都合のよい場所に配置された機器であってよい。
【００１８】
通信の方向は、異なる波長により分けられる。ハブからネットワーク終端装置への方向において全てのネットワーク終端装置は同一の信号を取得する。ネットワーク終端装置からハブへの方向においては、各々のネットワーク終端装置に光回線上のタイムスロットが割り当てられる。
【００１９】
オペレーション及びメンテナンスコマンドが、帯域内管理チャンネルを介して制御システムから送信される。
【００２０】
各々のネットワーク終端装置はハブ内で、そして制御システム内で、ステータスリストに登録されるのであって、また連絡不能なネットワーク終端装置のリストも存在する。これらは光回線の切断、電源の故障等によって連絡不能となっている可能性がある。
【００２１】
全てのネットワーク終端装置における信号送信を乱すような妨害信号がハブにより認識されると、制御システム又はハブ内においてネットワークの診断方法が開始される。ネットワーク終端装置により帯域内管理チャンネル内のコマンドが依然として実行されている場合、ネットワーク終端装置を順々に停止させて、妨害がまだ存在するかどうかチェックすることができる。
【００２２】
ネットワーク終端装置により帯域内管理チャンネル内のコマンドがそれ以上実行されない場合、妨害信号を送信するようなネットワーク終端装置の検出方法が用いられる。
【００２３】
この方法においては、ネットワーク終端装置により送られて妨害信号への重ねあわせがなされるような低周波数パルスモード信号が用いられる。したがって各々のネットワーク終端装置には、遮断コマンド、及びその後のパルスモードコマンドが送られる。通信方向が波長で分けられるとき、及びハブへの方向のみが妨害されるときに、このようなことが可能である。
【００２４】
そのパルスモードにおいて、ネットワーク終端装置は低周波数信号ＰＭを送る。低周波数信号ＰＭは妨害信号ＤＳに重ねられ、図２に示すとおり重ね合わせ信号ＳＩＳを生み出す。
【００２５】
ハブ内の光受信器は、接続されているネットワーク終端装置についての距離が異なることに起因して異なる信号強度へと、自動利得制御を用いて受信器を調整する。受信器内の利得制御信号を用いて信号強度が測定される。重ね合わせ信号によって低周波数で信号強度が変化すれば、これを利得制御信号によって検出することが可能である。
【００２６】
通常のデータ信号と区別するために、低周波数信号が選択される。１から２Ｈｚの周波数が適切である。そのような信号をフィルタリングすることは容易である。
【００２７】
受信された信号はハブにより分析され、パルスモード信号が存在するならば検出されるであろう。存在しない場合、不良であるネットワーク終端装置が見つけ出される。
【００２８】
図３において、この方法がさらに詳細に示されている。
【００２９】
この診断方法に入ると、ネットワーク終端装置のカウンタが１に初期化される。
【００３０】
アドレス指定されたネットワーク終端装置に遮断コマンドが送られる。妨害信号が依然として存在するかどうかがチェックされる。妨害がなくなった場合、不良であるネットワーク終端装置が見つけ出される。
【００３１】
妨害が依然として存在する場合、そのネットワーク終端装置においてパルスモードがアクティブにされる。そして、重ね合わせ信号が存在するかどうかをハブにおいてチェックする。
【００３２】
重ね合わせ信号が存在しない場合、連絡不能なネットワーク終端装置のリスト内でこのネットワーク終端装置を検索する。そこに登録されていないならば、不良であるネットワーク終端装置が見つけ出される。そこに登録されている場合、又は重ね合わせ信号が依然として存在する場合には、この方法で次のネットワーク終端装置をチェックする。全てのネットワーク終端装置がテストされるまでこれを行う。
【００３３】
テスト結果によって、不良であるネットワーク終端装置が与えられるであろう。
【００３４】
不良であるネットワーク終端装置が、制御システムにおいて光ネットワーク内の対応するパスと共に表示される。
【００３５】
今や、不良であるネットワーク終端装置を最後のスプリッタにおいて切断すること、又はそれを交換すること、及び可能であるような如何なることをすることも容易である。
【符号の説明】
【００３６】
ＣＳ                制御システム
ＤＳ                妨害信号
ＨＵＢ              光ネットワークハブ
ＮＴ                ネットワーク終端装置
ＰＭ              パルスモード信号
ＳＩＳ              重ね合わせ信号
ＳＰ                光学スプリッタ
【図１】
2011501593.tif 000003
【図２】
2011501593.tif 000004
【図３】
2011501593.tif 000005
【国際調査報告】
2011501593.tif 000006
2011501593.tif 000007